(57)【要約】      （修正有）【課題】通信用紙に記載した情報が受信者に到達する間に第三者に読み取られることを防止し、且つ受信者が簡単に情報を読み取ることができる通信用紙付き広告台紙を提供する。【解決手段】非透明シート部と、該非透明シート部の裏面に再貼着不可能な第１剥離層を介して貼着され、かつその反対面に粘着層が設けられている透明シート部と、該透明シート部の裏面に第２剥離層を介して貼着されるベース層とからなる台紙片と、該台紙片の表面の一部に取り付けられた、情報記載部が印刷された通信用紙とを有し、発信者は前記情報記載部に情報を記載後、前記非透明シート部と前記透明シート部の全部または一部を情報遮蔽シールとして、これを前記通信記載部の上に貼着した状態で通信用紙を送付し、受信者は該通信用紙の前記情報遮蔽シールの前記非透明シート部のみを剥離することで前記透明シート部を通して前記通信記載部の情報を読み取り可能とする。【選択図】図４
0003110202.tif 000002
【実用新案登録請求の範囲】
【請求項１】
通信用紙付き広告台紙であって、
非透明シート部と、該非透明シート部の裏面に再貼着不可能な第１剥離層を介して貼着され、かつその反対面に粘着層が設けられている透明シート部と、該透明シート部の裏面に第２剥離層を介して貼着されるベース層と、からなる台紙片と、
該台紙片の表面の一部に取り付けられた、情報記載部が印刷された通信用紙と、を有し、
発信者は前記情報記載部に情報を記載後、前記非透明シート部と前記透明シート部の全部または一部を情報遮蔽シールとして、これを前記通信記載部の上に貼着した状態で通信用紙を送付し、受信者は該通信用紙の前記情報遮蔽シールの前記非透明シート部のみを剥離することで前記透明シート部を通して前記通信記載部の情報を読み取り可能としたことを特徴とする通信用紙付き広告台紙。
【請求項２】
請求項１記載の通信用紙付き広告台紙であって、
前記ベース層上の非透明シート部及び透明シート部は切断線により裁断され、該非透明シートと該透明シート部の一部が情報シートとして使用することを特徴とする通信用紙付き広告台紙。
【請求項３】
請求項２記載の通信用紙付き広告台紙であって、
前記通信用紙は、前記情報遮蔽シールの外側であって、かつ該情報遮蔽シールを跨ぐように前記台紙片に取り付けられていることを特徴とする通信用紙付き広告台紙。
【請求項４】
請求項１乃至３のいずれか記載の通信用紙付き広告台紙であって、
前記ベース層は、その裏面に貼着層が形成され、前記通信用紙付き広告台紙を商品に貼り付け可能としたことを特徴とする通信用紙付き広告台紙。
【請求項５】
通信用紙付き広告台紙であって、
裏面に粘着層を有する非透明シート部と、該非透明シート部を貼り付けるベース層と、からなる台紙片と、
該台紙片の表面の一部に取り付けられた、情報記載部が印刷された通信用紙と、を有し、
発信者は前記情報記載部に情報を記載後、前記非透明シート部の全部または一部を情報遮蔽シールとして、これを前記通信記載部の上に貼着した状態で通信用紙を送付し、受信者は該通信用紙の前記情報遮蔽シールを剥離することで前記通信記載部の情報を読み取り可能としたことを特徴とする通信用紙付き広告台紙。
【請求項６】
請求項５記載の通信用紙付き広告台紙であって、
前記通信用紙は、前記情報遮蔽シールの外側であって、かつ該情報遮蔽シールを跨ぐように前記台紙片に取り付けられていることを特徴とする通信用紙付き広告台紙。
【請求項７】
請求項５または請求項６記載の通信用紙付き広告台紙であって、
前記ベース層は、その裏面に貼着層が形成され、前記通信用紙付き広告台紙を商品に貼り付け可能としたことを特徴とする通信用紙付き広告台紙。
商品に貼り付け可能としたことを特徴とする通信用紙付き広告台紙。
【請求項８】
通信用紙付き広告台紙であって、
台紙片と、
台紙片上に剥離可能に貼着され、再接着が可能な非透明シール片と、
前記台紙片の表面の一部に前記非透明シール片を跨ぐように取り付けられた、情報記載部が印刷された通信用紙と、を有し、
発信者は前記情報記載部に情報を記載後、前記非透明シール片を情報遮蔽シールとして、これを前記通信記載部の上に貼着した状態で通信用紙を送付し、受信者は該通信用紙の前記情報遮蔽シールを剥離することで前記通信記載部の情報を読み取り可能としたことを特徴とする通信用紙付き広告台紙。
【請求項９】
請求項８記載の通信用紙付き広告台紙であって、
前記台紙片は、その裏面に貼着層が形成され、前記通信用紙付き広告台紙を商品に貼り付け可能としたことを特徴とする通信用紙付き広告台紙。
【考案の詳細な説明】
【技術分野】
【０００１】
本考案は、アンケート葉書などの通信用紙を取り付けた広告パンフレットや商品に直接貼付するラベルとして使用する広告用台紙であって、特に通信用紙に記載した情報を通信途中に他人に見られることなく且つ情報の受信者が簡単に情報を確認することができる広告台紙に関する。
【背景技術】
【０００２】
商品の広告パンフレットや商品に貼り付けたラベルなどの台紙に、アンケート回答用紙や応募用紙などの通信用紙を取り付けて、販売促進キャンペーンを行う場合がある。このような通信用用紙を商品に取り付ける台紙としては、例えば、次のようなものが存在する。
【０００３】
【特許文献１】特開２００２−５９６７６号
【０００４】
しかしながら、この構造では顧客である発信者側から通信用紙に記載した情報が、受信者側に到着するまでに第三者に読み取られる可能性がある。昨今の情報ネットワークの発達から個人の氏名や生年月日などから例えば銀行カードやクレジットカードなどの他のシステムの暗証番号情報として応用される危険性もあり、情報のセキュリティ管理は重要度を増している。そして、近年においては、受信者にも情報の管理責任が及ぶ可能性があり、受信者が情報の発信者の手を離れて受信者に到着するまでの情報の管理に対しても、顧客に対し、通信用紙の送付を求める者が気にとめなければならない時代となっている。
【考案の開示】
【考案が解決しようとする課題】
【０００５】
本考案の課題は、通信用紙に記載した情報が受信者に到達する間に第三者に読み取られることを防止し、且つ受信者が簡単に情報を読み取ることができる通信用紙付き広告台紙を提供することにある。
【課題を解決するための手段】
【０００６】
本考案の通信用紙付き広告台紙は、非透明シート部と、該非透明シート部の裏面に再貼着不可能な第１剥離層を介して貼着され、かつその反対面に粘着層が設けられている透明シート部と、該透明シート部の裏面に第２剥離層を介して貼着されるベース層と、からなる台紙片と、該台紙片の表面の一部に取り付けられた、情報記載部が印刷された通信用紙と、を有し、発信者は前記情報記載部に情報を記載後、前記非透明シート部と前記透明シート部の全部または一部を情報遮蔽シールとして、前記通信記載部の上に貼着した状態で通信用紙を送付し、受信者は該通信用紙の前記情報遮蔽シールの前記非透明シート部のみを剥離することで前記透明シート部を通して前記通信記載部の情報を読み取り可能としたことを特徴とする。
【考案の効果】
【０００７】
発信者は、通信用紙の通信記載部に住所・氏名等の情報を記載した後、その上に情報遮蔽シールを貼着して発送するため、通信用紙が受信者に到着するまで情報が第三者に読み取られることはない。そして、通信用紙が受信者に到着すると、受信者は情報遮蔽シールのうち表面の非透明シートのみを剥離層から剥がすことで、受信者は透明シート部を通して通信記載部の情報を確認できる。
【０００８】
もし、発信後受信までに非透明シートが剥がされた場合は、非透明シートは再貼着不可能であるため、非透明シートが剥離した状態で通信シートが受信者に到着するため、その情報が読み取られた可能性のあったことを把握することができる。
【考案の実施の形態】
【０００９】
（第１実施形態）
本考案の実施の形態を図面に従って詳述する。本実施形態において、通信用紙付き広告台紙は広告シールとして説明する。図１は剥離シート上に連続して貼り付けられた状態の広告シールの斜視図であり、図２は剥離シート上の広告シールの断面図であり、さらに図３は広告シールを商品に貼り付けた状態の斜視図である。
【００１０】
図１は、帯状の剥離シート４の表面に、広告シール１を一定の間隔をおいて複数枚連続して貼着している状態を示す斜視図である。この広告シール１は、台紙片２と、この台紙片２上に折り畳んだ状態で取り付けられる、通信用紙たる葉書用紙５とからなり、葉書用紙５は、折り畳まれた状態の上端部５ａが台紙片２に貼着されており、後に葉書用紙５本体を上端部５ａから切り離すことが可能なように、ミシン目５ｂが形成されている。なお、葉書用紙５の他端は、台紙片２に取り付けた両面テープ５ｃ（図３参照）により固定されている。
【００１１】
図２は、剥離シート４に貼着されている台紙片２を説明する断面図である。この図においては、葉書用紙５は省略されている。剥離シート４上に貼着される台紙片２は、ベース層２ｃ上に透明シート部２ｂが貼着され、さらに該透明シート部２ｂ上に非透明シート部２ａが貼着されている。非透明シート部２ａ（または後述する３ａ）と透明シート部２ｂ（または後述する３ｂ）との間には一度剥離すると再接着不可能な第１剥離層Ｒ１が形成され、さらに透明シート２ｂとベースシート２ｃとの間には第２剥離層Ｒ２が形成されている。なお、第１剥離層Ｒ１の粘着強度は第２剥離層Ｒ２の粘着強度より高く設定されており、後述するセキュリティ保護シール３を剥がした際に、非透明シート部２ａ、３ａと透明シート部２ｂ、３ｂが剥離層Ｒ１から分離してしまうことを防止する。また、ベースシート２ｃの裏面は粘着層が形成されている。
【００１２】
一度剥離すると再接着が不可能な第１剥離層Ｒ２の材料としては、例えば、ホットメルト型疑似接着剤（通常は100℃程度で熱溶融し、室温では再接着しない）や紫外線硬化型の擬似接着剤や水性エマルジョン型の疑似接着剤等を用いることができる。
【００１３】
台紙片２の中央には非透明シート部２ａ（３ａ）と透明シート部２ｂ（３ｂ）とを切断し、ベース層２ｃを切断しない切断線３ｘが形成されており、この切断線３ｘにより囲まれた領域が情報遮蔽シールであるセキュリティ保護シール３となる。よって、セキュリティ保護シート３は、台紙片２と同様に非透明シート部３ａと透明シート部３ｂとさらにその裏面に形成された粘着層３ｓから構成されることになる。この粘着層３は紙に貼着した際に再度の剥離が不可能な強い接着力を有するものが使用され、第２剥離層Ｒ２はベースシート２ｃの上面、すなわち粘着層３ｓに接するように形成されることとなる。
【００１４】
なお、葉書用紙５は、セキュリティ保護シール３の外側であって、かつセキュリティ保護シール３を覆うように台紙片２に取り付けられている。このため、葉書用紙５は、セキュリティ保護シール３を保護することにより、店頭でセキュリティ保護シール３が剥がされてしまういたずらを防止することができる。
【００１５】
図３は、広告シール１を飲料ボトルである商品Ｇの側面に貼り付けた状態を示す。広告シール１のユーザーは剥離シート４から広告シール２を剥がし、これを裏面の粘着層により商品Ｇに貼着して店頭に並べる。商品Ｇの購買者は、広告シール１とともに商品Ｇを購入することとなり、購買者はキャンペーンやユーザー登録の案内を広告シート１及びそれに付属した葉書用紙５から知得する。ユーザー登録の案内から商品の購買者は、広告シール１から葉書用紙５をミシン目５ｃにより切り離し、かつ台紙２からセキュリティ保護シール３を剥がして使用する。そして、葉書用紙５を用いてキャンペーンへの応募やユーザー登録を行うことができる。
【００１６】
次に、図４乃至図６を用いて、情報保護シール３の使用方法を説明する。図４は、葉書用紙を広告シールから切り離した状態を示す説明図、図５及び図６はセキュリティ保護シールの使用方法を示す説明図である。同図に示すように、葉書用紙５は、葉書パート５Ａと説明書パート５Ｂとから構成され、両者はミシン目により分離可能としている。葉書パート５Ａには情報記載欄Ｓが印刷されており、購買者はこの欄に住所・氏名・年齢等を記載する。
【００１７】
情報記載欄Ｓに情報を記入した後、購買者（発信者）は台紙片２からセキュリティ保護シール３を剥がし、これを、情報記載欄Ｓを覆うように貼付する。この状態で葉書パート５Ａをポストに投函することにより、葉書パート５Ａが受信者に到着するまで、情報記載欄Ｓは読み取られることはない。
【００１８】
セキュリティ保護シール３を構成する非透明シート部３ａと透明シート部３ｂとの間にある第１剥離層は再接着不可能な材質で形成されるため、郵送中にセキュリティ保護シール３の非透明シート部３ａが剥がされることがあったとしても、受信者はそのことを把握することができる。
【００１９】
葉書パート５Ａが受信者に到着した際の作業を説明する。受信者は、葉書パートＡの情報記載欄Ｓに貼着されたセキュリティ保護シール３のうち非透明シート部３ａのみを除去する。この状態においては、透明シート部３ｂが葉書パート５Ａ側に残留するが透明であるため、これを通して情報記載欄Ｓの記載内容を読み取ることができる。
【００２０】
特に、非透明シート部３ａを剥がした後に、透明シート部３ｂ上には一度剥がしたことを示す印が何も残らないため、受信者側が情報の読み取り装置によって情報記載欄Ｓの情報を取り込む場合でも、読み取り誤りが生じず、円滑な情報管理を行うことができる。
【００２１】
（第２実施形態）
本件考案の第２実施形態を、図７を用いて説明する。図７は、第１実施形態の広告台紙とセキュリティ保護シールの積層構造の他は第１実施形態と同一であるため全体図等は省略する。
【００２２】
剥離シート４上に貼着される台紙片12は、裏面に粘着層12ｂが形成される非透明シート部12ａが、ベース層12ｂ上に貼着されることによって構成されている。
【００２３】
台紙片12の中央には非透明シート部12ａを切断し、ベース層12ｃを切断することのない切断線13ｘが形成されており、この切断線13ｘにより囲まれた領域が情報遮蔽シールであるセキュリティ保護シール13となる。よって、セキュリティ保護シート13は、台紙片12と同様に非透明シート部13ａとその裏面に形成された粘着層13ｂとで構成されることになる。
【００２４】
粘着層13ｂは、再剥離可能な接着剤で構成されており、台紙片12からセキュリティ保護シート13を剥がした後、葉書パート５Ａの情報記載欄Ｓに接着することで記載された情報を遮蔽することができる。
【００２５】
そして、葉書パート５Ａが発信者から受信者に到着した場合には、発信者はセキュリティ保護シート13を再び剥がして、その情報記載欄Ｓに記載された情報をデータベース等に読み込むことができる。この場合、第１実施形態の図６と異なり、透明シート部は葉書パート５Ａの情報記載欄Ｓには残留することがない。
【００２６】
（第３実施形態）
本件考案の第２実施形態を、図８を用いて説明する。図８は、第１実施形態の広告台紙とセキュリティ保護シールの積層構造の他は第１実施形態と同一であるため全体図等は省略する。
【００２７】
剥離シート４上に貼着される台紙片22は、ベース層22ａと、その裏面に形成される粘着層22ｂとから構成される。台紙片22は剥離シート４から剥がすことにより、商品に貼着して使用することができる。
【００２８】
台紙片22の中央には非透明シートである情報遮蔽シール23が形成されており、この情報遮蔽シール23は非透明層23ａとその裏面に貼着された粘着層23ｂとから構成される。図示しないが、情報遮蔽シール23の上方には、第一実施例の図３に示すように、葉書用紙５が被さるように跨いだ状態で台紙片22に取り付けられてる。この状態にあっては、店頭に置いた上体で、情報遮蔽シール23を葉書用紙５が覆うことになるので情報遮蔽シール23が擦れたり、いたずらにより剥がされることを防止することができる。
【００２９】
発信者は、葉書５の情報記載欄Ｓを記載した後、情報遮蔽シール23を同情報記載欄Ｓに貼着し、郵送などの方法で発信することについては他の実施形態と同様である。受信者は、単に情報遮蔽シール23を剥がして、情報記載欄Ｓの情報を読み取ることができる。
【００３０】
なお、上記第１乃至第３実施形態では、本発明の広告台紙が、裏面に粘着層を有する広告シールとして説明したが、本発明はこれに限られるものではなく、商品と別に配布される広告パンフレットや広告カードでもよく、さらにダイレクトメールなどで封書を用いて郵送される広告用紙であってもよい。
【００３１】
また、これら実施形態では、本発明の通信用紙が葉書として説明したが、本発明はこれに限られるものではなく、店頭に設けられた応募箱に投函するような応募用紙であっても、もちろんよい。
【産業上の利用性】
【００３２】
本発明の活用例として、アンケートやユーザー登録の通信用紙の受け渡しの際に、住所・氏名等の情報の隠蔽に適用可能である。
【図面の簡単な説明】
【００３３】
【図１】第１実施形態に関する、剥離シート上に連続して貼り付けられた状態の広告シールの斜視図である。
【図２】同実施形態に関関する、剥離シート上の広告シールの断面図である。
【図３】同実施形態に関する、広告シールを商品に貼り付けた状態の商品の斜視図である。
【図４】同実施形態に関し、葉書用紙を広告シールから切り離した状態を示す説明図である。
【図５】同実施形態に関し、セキュリティ保護シールの使用方法を示す説明図である。
【図６】同実施形態に関し、セキュリティ保護シールの使用方法を示す説明図である。
【図７】第２実施形態に関する、剥離シート上の広告シールの断面図である。
【図８】第３実施形態に関する、剥離シート上の広告シールの断面図である。
【符号の説明】
【００３４】
１・・・広告シール（広告台紙）
２、12、22・・・台紙片
３、13、23・・・セキュリティ保護シール（情報遮蔽シール）
２ａ、３ａ・・・非透明シート
２ｂ、３ｂ・・・透明シート
３ｓ・・・接着層
３ｘ・・・切断線
４・・・剥離シート
５・・・葉書用紙（通信用紙）
Ｒ１・・・第１剥離層
Ｒ２・・・第２剥離層
Ｇ・・・商品
【図１】
0003110202.tif 000003
【図２】
0003110202.tif 000004
【図３】
0003110202.tif 000005
【図４】
0003110202.tif 000006
【図５】
0003110202.tif 000007
【図６】
0003110202.tif 000008
【図７】
0003110202.tif 000009
【図８】
0003110202.tif 000010
【手続補正書】
【提出日】平成17年2月14日(2005.2.14)
【手続補正１】
【補正対象書類名】実用新案登録請求の範囲
【補正対象項目名】全文
【補正方法】変更
【補正の内容】
【実用新案登録請求の範囲】
【請求項１】
通信用紙付き広告台紙であって、
非透明シート部と、該非透明シート部の裏面に再貼着不可能な第１剥離層を介して貼着され、かつその反対面に粘着層が設けられている透明シート部と、該透明シート部の裏面に第２剥離層を介して貼着されるベース層と、からなる台紙片と、
該台紙片の表面の一部に取り付けられた、情報記載部が印刷された通信用紙と、を有し、
発信者は前記情報記載部に情報を記載後、前記非透明シート部と前記透明シート部の全部または一部を情報遮蔽シールとして、これを前記通信記載部の上に貼着した状態で通信用紙を送付し、受信者は該通信用紙の前記情報遮蔽シールの前記非透明シート部のみを剥離することで前記透明シート部を通して前記通信記載部の情報を読み取り可能としたことを特徴とする通信用紙付き広告台紙。
【請求項２】
請求項１記載の通信用紙付き広告台紙であって、
前記ベース層上の非透明シート部及び透明シート部は切断線により裁断され、該非透明シートと該透明シート部の一部が情報シートとして使用することを特徴とする通信用紙付き広告台紙。
【請求項３】
請求項２記載の通信用紙付き広告台紙であって、
前記通信用紙は、前記情報遮蔽シールの外側であって、かつ該情報遮蔽シールを跨ぐように前記台紙片に取り付けられていることを特徴とする通信用紙付き広告台紙。
【請求項４】
請求項１乃至３のいずれか記載の通信用紙付き広告台紙であって、
前記ベース層は、その裏面に貼着層が形成され、前記通信用紙付き広告台紙を商品に貼り付け可能としたことを特徴とする通信用紙付き広告台紙。